(57)【要約】      （修正有）【課題】人が睡眠時に長時間装着しても、外れず、不快を感じないで効果的にいびきを抑制することができるいびき抑制具を提供する。【解決手段】頭頂部と下顎との間に掛け渡して装着される環状の下顎保持帯部１０を有するいびき抑制具１において、口の左右両側に沿って上顎に掛け渡される上顎保持帯部２０が、下顎保持帯部１０に接続されている。人がいびき抑制具を装着した状態で、上顎保持帯部は、上顎を口腔側に引き寄せて保持する。下顎保持帯部には、両耳を通す長穴１５が形成されていることが好ましい。また、下顎に接触する下顎接触部１７には、弾性を有する緩衝材と、緩衝材を覆うメッシュ構造のカバー材とが積層形成されていることが好ましい。【選択図】図１
0003191180.tif 000002
【実用新案登録請求の範囲】
【請求項１】
頭頂部と下顎との間に掛け渡して装着される環状の下顎保持帯部を有するいびき抑制具において、
口の左右両側に沿って上顎に掛け渡される上顎保持帯部が、前記下顎保持帯部に接続されていること、
人が当該いびき抑制具を装着した状態では、前記上顎保持帯部は、上顎を口腔側に引き寄せて保持すること、
を特徴とするいびき抑制具。
【請求項２】
請求項１に記載するいびき抑制具において、
前記下顎保持帯部には、両耳を通す長穴が形成されていること、
を特徴とするいびき抑制具。
【請求項３】
請求項１または請求項２に記載するいびき抑制具において、
前記下顎保持帯部のうち、下顎に接触する下顎接触部は、弾性を有する緩衝材と、前記緩衝材を覆うメッシュ構造のカバー材とを積層して形成されていること、
を特徴とするいびき抑制具。
【考案の詳細な説明】
【技術分野】
【０００１】
この考案は、睡眠時に装着していびきの発生を抑制するいびき抑制具に関する。
【背景技術】
【０００２】
気道のうち、鼻から鼻腔、鼻咽頭、咽頭、喉頭までの上気道において、舌根や喉頭の筋肉で緊張が睡眠時にとれることで、気道が狭くなり、狭くなったこの気道を、呼吸時に空気がより速い流れで流通しようとするため、空気抵抗の増大を招き、上気道の粘膜が共鳴・振動を起こす。この粘膜の共鳴・振動が、いびきの発生源とされている。このようないびきを抑制するいびき抑制具として、例えば、特許文献１、２等が開示されている。
【０００３】
特許文献１は、裏面にすべり止め部材を設けた幅狭のベルトの両端に、同じ幅の伸縮ベルトを繋いで環状に形成し、ベルトのすべり止め部材を人の頭頂部に、この人の顎に伸縮ベルトを掛けるいびき防止具であり、睡眠時に口が開くのを阻止していびきを防止できるとされている。しかしながら、特許文献１では、人が、いびき防止具を長時間着用すると、伸縮ベルトに接触している顎で痛みを感じ、ベルトと伸縮ベルトの幅が狭いため、いびき防止具が睡眠中に外れ易い問題があった。
【０００４】
また、特許文献２は、顎と頭頂部の間に掛け渡す環状の顎バンドであり、全体を編物製で、顎に掛ける顎保持部を掌サイズに、頭頂部に掛ける頭頂支持部を他より幅広な形状に形成されている。特許文献２は、特許文献１の課題であった、「睡眠中に外れてしまうこと」を解決すると共に、睡眠時に、顎バンドを長時間に亘って装着しても、頬や顎との間で汗により濡れてしまうことがないとされている。
【先行技術文献】
【特許文献】
【０００５】
【特許文献１】登録実用新案公報第３０３４５１０号公報
【特許文献２】特開２００１‐２９９７９１号公報
【考案の概要】
【考案が解決しようとする課題】
【０００６】
しかしながら、特許文献１、２の従来技術には、以下の問題があった。特許文献１では、前述したように、睡眠中に外れてしまう問題があったほか、幅狭のベルトが頭頂部から斜めに掛けられ、伸縮ベルトが下顎の下方側（顎二腹筋前腹側）に沿って掛け留められているため、伸縮ベルトのテンションを大きくしないと、人が眠っている間、上顎に対し下顎を閉じた状態で維持することは困難である。それ故に、特許文献１のいびき抑制具を長時間装着すると、伸縮ベルトに接触している顎で痛みが生じる。
【０００７】
また、特許文献２は、顎バンドの頭頂支持部を頭頂部に掛け渡した状態で、下顎における正面側（オトガイ筋側）と顎二腹筋前腹側とを、顎バンドの顎保持部で保持できているため、特許文献１に比して、睡眠中に外れ難くなっている。しかしながら、人が眠っている間、たとえ上顎と下顎とが閉じた状態にあったとしても、上顎がフリーな状態であるため、顎バンドの顎保持部により、下顎を、上顎より咽頭側の位置で保持し続けることができない問題があった。すなわち、下顎が、上顎と相対的に咽頭側に位置していないと、気道が、上気道の粘膜が共鳴・振動を起こし難い程度まで十分に拡がらない虞があり、いびきを効果的に抑制することができないからである。
【０００８】
本考案は、上記問題点を解決するためになされたものであり、人が睡眠時に長時間装着しても、外れず、不快を感じないで効果的にいびきを抑制することができるいびき抑制具を提供することを目的とする。
【課題を解決するための手段】
【０００９】
本考案に係るいびき抑制具は、上記目的を達成するため、以下の構成を有する。
（１）頭頂部と下顎との間に掛け渡して装着される環状の下顎保持帯部を有するいびき抑制具において、口の左右両側に沿って上顎に掛け渡される上顎保持帯部が、前記下顎保持帯部に接続されていること、人が当該いびき抑制具を装着した状態では、前記上顎保持帯部は、上顎を口腔側に引き寄せて保持すること、を特徴とする。
（２）（１）に記載するいびき抑制具において、前記下顎保持帯部には、両耳を通す長穴が形成されていること、を特徴とする。
（３）（１）または（２）に記載するいびき抑制具において、前記下顎保持帯部のうち、下顎に接触する下顎接触部は、弾性を有する緩衝材と、前記緩衝材を覆うメッシュ構造のカバー材とを積層して形成されていること、を特徴とする。
【考案の効果】
【００１０】
上記構成を有する本考案のいびき抑制具の作用・効果について説明する。
（１）頭頂部と下顎との間に掛け渡して装着される環状の下顎保持帯部を有するいびき抑制具において、口の左右両側に沿って上顎に掛け渡される上顎保持帯部が、下顎保持帯部に接続されていること、人が当該いびき抑制具を装着した状態では、上顎保持帯部は、上顎を口腔側に引き寄せて保持すること、を特徴とするので、本考案のいびき抑制具を人が睡眠時に装着していると、上顎は、上顎保持帯部により口腔側に引き寄せられ、この状態で、下顎は、下顎保持帯部により上顎に向けて保持される。このとき、上顎保持帯部で上顎を引き寄せることにより、下顎は、ちょうどしゃくれのように、僅かながらも前突するため、仰向きで寝ている人の気道は、上気道の粘膜が共鳴・振動を起こし難い程度まで十分に拡がることができる。これにより、睡眠時にいびきの発生を効果的に抑制することができる。また、睡眠中の人に動きがあっても、本考案のいびき抑制具は、下顎保持帯部と共に上顎保持帯部により、人に装着されるため、外れたりすることや、位置ズレが生じ難い。また、下顎保持帯部と上顎保持帯部を、例えば、ポリエステル(Polyester)とポリウレタン(Polyurethane)等とからなる素材で、伸縮性と共に、人に優しい柔らかな肌触り感を有する素材で形成することにより、フィット感のある肌触りが得られ、人が睡眠時に本考案のいびき抑制具を長時間装着しても、不快にならない。
従って、本考案に係るいびき抑制具によれば、人が睡眠時に長時間装着しても、外れず、不快を感じないでいびきを効果的に抑制することができる、という優れた効果を奏する。
【００１１】
（２）下顎保持帯部には、両耳を通す長穴が形成されていること、を特徴とするので、下顎保持帯部と上顎保持帯部を、例えば、ポリエステル(Polyester)とポリウレタン(Polyurethane) とからなる素材等、伸縮性を有する素材で形成すると、人が本考案のいびき抑制具を装着したとき、長穴周囲が弾性変形することにより、上顎の形状に個人差があっても、上顎保持帯部が、上顎形状に対応して上顎の皮膚上にフィットし易くなる。また、人にとって不快感のない適度なテンションで、上顎を保持することができる。また、本考案のいびき抑制具が睡眠中に外れたりすることや、位置ズレすることがより確かに抑制できる。
【００１２】
（３）下顎保持帯部のうち、下顎に接触する下顎接触部は、弾性を有する緩衝材と、この緩衝材を覆うメッシュ構造のカバー材とを積層して形成されていること、を特徴とするので、カバーの孔により、通気性が確保され、睡眠中に汗をかいても、汗で蒸れることが抑制できる。また、本考案のいびき抑制具の装着に伴って下顎に掛かる力が、緩衝材によって分散されるため、人が本考案のいびき抑制具を長時間に亘って装着して眠る場合でも、下顎保持帯部により本考案のいびき抑制具の固定に生じる痛みを低減することができる。
【図面の簡単な説明】
【００１３】
【図１】実施形態に係るいびき抑制具を示す斜視図である。
【図２】実施形態に係るいびき抑制具の下顎保持帯部の下顎接触部について、（ａ）は下顎接触部を拡大して示した平面図、（ｂ）は（ａ）のＡ‐Ａ矢視断面図である。
【図３】図１に示すいびき抑制具を装着して眠る様子を示す説明図である。
【図４】図３に示す様子を、頭上から見た説明図である。
【図５】実施形態に係るいびき抑制具の作用を説明する模式図である。
【考案を実施するための形態】
【００１４】
（実施形態）
以下、本考案に係るいびき抑制具について、実施形態を図面に基づいて詳細に説明する。図１は、実施形態に係るいびき抑制具を示す斜視図である。図２は、実施形態に係るいびき抑制具の下顎保持帯部の下顎接触部について、（ａ）は下顎接触部を拡大して示した平面図、（ｂ）は（ａ）のＡ‐Ａ矢視断面図である。図３は、図１に示すいびき抑制具を装着して眠る様子を示す説明図である。
【００１５】
いびき抑制具１は、図１に示すように、大別して、下顎保持帯部１０と上顎保持帯部２０とからなる。図３に示すように、人５０が、このいびき抑制具１を装着して睡眠に入るときには、下顎保持帯部１０は、環状に形成され、頭頂部５１と下顎５３との間を掛け渡して装着される。この下顎保持帯部１０には、両側の耳５４，５４を通す長穴１５，１５が形成されている。また、上顎保持帯部２０は、口５５の左右両側（図３中、左下‐右上方向両側）方向に沿って上顎５２に掛け渡され、下顎保持帯部１０と接続されている。
【００１６】
具体的に説明する。本実施形態では、下顎保持帯部１０は、例えば、ポリエステル(Polyester)とポリウレタン(Polyurethane)とからなる生地１１と、幅が５０ｍｍ程度のこの生地１１の縁部を、ポリエステル(Polyester)とナイロン(Nylon)等とからなるパイピング１２で縁処理されており、伸縮性を有した帯状に形成されている。
【００１７】
この下顎保持帯部１０のうち、下顎５３に接触する下顎接触部１７には、図２に示すように、例えば、厚みが約５ｍｍ、ポリウレタン(Polyurethane)製のパッド材等、弾性を有する緩衝材１８が設けられている。下顎接触部１７は、後述する右側下顎保持帯部１０Ｒの接続部１６と左側下顎保持帯部１０Ｌの接続部１６とを挟む位置に形成されている。
【００１８】
緩衝材１８は、生地１１とカバー材１９との間に配置され、生地１１とカバー材１９とが、縁部で、前述したパイピング１２により縁処理されている。カバー材１９は、ポリエステル(Polyester)等からなり、米粒１つよりやや小さい貫通孔１９Ｈを複数有すると共に、これらの貫通孔１９Ｈの周囲を、１ｍｍにも満たない細かな網目孔とするメッシュ構造で構成されている。下顎接触部１７に下顎５３が触れると、緩衝材１８によるクッション性と、カバー材１９による柔らかな肌触り感とにより、下顎接触部１７は、人５０に優しい柔らかな仕上がりになっている。
【００１９】
下顎保持帯部１０のうち、この下顎接触部１７を挟む右側（図１中、奥側）に位置する右側下顎保持帯部１０Ｒの先端側内面には、面ファスナ１３の起毛部１３Ａが設けられている。また、面ファスナ１３に付随する環状のループ１４が右側下顎保持帯部１０Ｒに設けられている。一方、下顎接触部１７を挟む左側（図１中、手前側）に位置する左側下顎保持帯部１０Ｌの先端側外面には、面ファスナ１３の脱着部１３Ｂが設けられ、起毛部１３Ａと脱着部１３Ｂとでは互いに、貼付とその剥離が自在に可能になっている。右側下顎保持帯部１０Ｒでは、長穴１５は、下顎接触部１７と起毛部１３Ａとの間に配置され、人５０がいびき抑制具１を装着して睡眠に入るときには、右側の耳５４が、違和感なくちょうど長穴１５に収まる位置となっている。同様に、左側下顎保持帯部１０Ｌでは、長穴１５は、下顎接触部１７と脱着部１３Ｂとの間に配置され、左側の耳５４が、違和感なくちょうど長穴１５に収まる位置となっている。
【００２０】
人５０がいびき抑制具１を装着した状態では、上顎保持帯部２０は上顎５２を保持する。この上顎保持帯部２０は、例えば、ポリエステル(Polyester)とポリウレタン(Polyurethane)とからなる生地２１と、幅が２５ｍｍ程度のこの生地２１の縁部を、ポリエステル(Polyester)とナイロン(Nylon)等とからなるパイピング２２で縁処理されており、伸縮性を有した帯状に形成されている。上顎保持帯部２０は、口５５の左右両側（図３中、左下‐右上方向両側）に沿って上顎５２に掛け渡される態様で下顎保持帯部１０に接続されている。具体的には、図５に示す第３基点Ｒで、上顎保持帯部２０が、耳５４元にある第１基点Ｐに向けて引き寄せられて保持されるよう、上顎保持帯部２０の両端が、下顎保持帯部１０（右側下顎保持帯部１０Ｒ，左側下顎保持帯部１０Ｌ）の長穴１５，１５下側（図１中、左下‐右上方向左側）位置付近の接続部１６に接続されている。
【００２１】
次に、いびき抑制具１の使い方について、図３〜図５を用いて説明する。図４は、図３に示す様子を、頭上から見た説明図である。図５は、実施形態に係るいびき抑制具の作用を説明する模式図である。
【００２２】
人５０が就寝前に、いびき抑制具１の上顎保持帯部２０を上顎５２に接触させて配置すると共に、下顎保持帯部１０の下顎接触部１７を、下顎５３の正面側（オトガイ筋側）の一部と下方側（顎二腹筋前腹側）とに接触させた位置に配置する。次に、右側下顎保持帯部１０Ｒと左側下顎保持帯部１０Ｌを、頭頂部５１に掛け回し、両側とも長穴１５に耳５４を通した状態で、左側下顎保持帯部１０Ｌの先端を、右側下顎保持帯部１０Ｒのループ１４内に通す。その後、下顎保持帯部１０全体に窮屈感のない程度にテンションを掛けて、面ファスナ１３の脱着部１３Ｂを起毛部１３Ａに貼付することにより、いびき抑制具１が固定される。なお、いびき抑制具１を装着して睡眠に入ろうとする人５０にとって不快ないよう、必要に応じて、頭頂部５１、下顎５３、耳５４に掛け渡される下顎保持帯部１０の位置を調整する。また、上顎５２、口５５、鼻５６に掛け渡される上顎保持帯部２０の位置を調整する。かくして、人５０は、いびき抑制具１を装着して入眠する。
【００２３】
以上、詳細に説明したように、本実施形態のいびき抑制具１では、頭頂部５１と下顎５３との間に掛け渡して装着される環状の下顎保持帯部１０を有するいびき抑制具１において、口５５の左右両側に沿って上顎５２に掛け渡される上顎保持帯部２０が、下顎保持帯部１０に接続されていること、人５０がいびき抑制具１を装着した状態では、上顎保持帯部５２は、上顎５２を口腔側に引き寄せて保持すること、を特徴とするので、睡眠時に人５０がいびき抑制具１を装着していると、上顎５２は、図５中、水平右向き矢印に示すように、上顎保持帯部２０により引き寄せられ、この状態で、下顎５３は、図５中、斜め左向き矢印に示すように、下顎保持帯部１０により上顎５２に向けて保持される。このとき、上顎保持帯部２０で上顎５２を口腔側に引き寄せることにより、下顎５３は、ちょうどしゃくれのように、僅かながらも前突するため、仰向きで寝ている人５０の気道は、上気道の粘膜が共鳴・振動を起こし難い程度まで十分に拡がることができる。これにより、睡眠時にいびきの発生を効果的に抑制することができる。
【００２４】
また、いびき抑制具１では、下顎保持帯部１０は、ポリエステルとポリウレタンとからなる生地１１により、伸縮性を有する共に、幅５０ｍｍ程度と幅広に形成されている。加えて、上顎保持帯部２０が、ポリエステルとポリウレタンとからなる生地２１により、伸縮性を有すると共に、睡眠時の呼吸に支障を来さない幅２５ｍｍ程度に形成されているため、睡眠中の人５０に動きがあっても、いびき抑制具１は外れたりすることや、位置ズレが生じ難い。また、いびき抑制具１の装着にフィット感と、人５０に優しい柔らかな肌触り感があり、人５０が睡眠時に長時間装着しても、不快にはならない。
従って、本考案のいびき抑制具１によれば、人５０が睡眠時に長時間装着しても、外れず、不快感なくいびきを効果的に抑制することができる、という優れた効果を奏する。
【００２５】
また、本実施形態のいびき抑制具１では、下顎保持帯部１０には、両側の耳５４，５４を通す長穴１５，１５が形成されていること、を特徴とするので、人５０がいびき抑制具１を装着したとき、長穴１５，１５周囲が弾性変形することにより、上顎５２の形状に個人差があっても、上顎保持帯部２０が、上顎５２形状に対応して上顎５２の皮膚上にフィットし易い上、人５０にとって不快感のない適度なテンションで、上顎５２を保持することができる。また、装着しているいびき抑制具１が睡眠中に外れたりすることや、位置ズレすることがより確かに抑制できる。
【００２６】
また、本実施形態のいびき抑制具１では、下顎保持帯部１０のうち、下顎に接触する下顎接触部１７は、緩衝材１８と、この緩衝材１８を覆うメッシュ構造のカバー材１９とを積層して形成されていること、を特徴とするので、カバー材１９の貫通孔１９Ｈと網目孔により、通気性が確保され、睡眠中に汗をかいても、汗で蒸れることが抑制できている。また、いびき抑制具１の装着に伴って下顎５３に掛かる力が、緩衝材１８によって分散されるため、人５０がいびき抑制具１を長時間に亘って装着して眠る場合でも、下顎保持帯部１０によりいびき抑制具１の固定に生じる痛みを低減することができる。
【００２７】
以上において、本考案を実施形態と変形形態に即して説明したが、本考案は上記実施形態や変形形態に限定されるものではなく、その要旨を逸脱しない範囲で、適宜変更して適用できる。
（１）例えば、実施形態では、下顎保持帯部１０の右側に、面ファスナ１３の起毛部１３Ａとループ１４を設け、その反対側に、面ファスナ１３の脱着部１３Ｂを設けたいびき抑制具１を挙げたが、下顎保持帯部の右側に面ファスナの脱着部を設け、下顎保持帯部の左側に面ファスナの起毛部とループを設けたいびき抑制具でも良い。
（２）また、実施形態では、下顎保持帯部１０を幅５０ｍｍ程度、緩衝材１８を厚み約５ｍｍ、及び上顎保持帯部２０を幅２５ｍｍ程度とするいびき抑制具１を挙げたが、下顎保持帯部及び上顎保持帯部の幅や、緩衝材の厚みは、実施形態に限定されるものではなく適宜変更可能である。
【符号の説明】
【００２８】
１  いびき抑制具
１０  下顎保持帯部
１５  長穴
１７  下顎接触部
１８  緩衝材
１９  カバー材
２０  上顎保持帯部
５０  人
５１  頭頂部
５２  上顎
５３  下顎
５４  耳
５５  口
【図１】
0003191180.tif 000003
【図２】
0003191180.tif 000004
【図３】
0003191180.tif 000005
【図４】
0003191180.tif 000006
【図５】
0003191180.tif 000007